(57)【特許請求の範囲】
【請求項１】
水分を取り込むための開口部、装飾対象面との接合面、装着時に外部に露出する表示面を少なくとも備えた筺体と、
該筺体内に収納された吸水性樹脂よりなる中綿と、
上記開口部を覆う通水性を有する蓋部材とを備え、
上記筺体が無色透明、有色透明、または半透明の素材よりなり、
上記開口部から筐体内に進入した水分を吸収して上記中綿が膨張すると、この中綿の色彩の影響を受けて上記表示面に現れる色彩が変化し、筐体内の水分が蒸発して中綿が収縮すると、表示面に現れる色彩が元に戻ることを特徴とする装飾用蓄水タイル。
【請求項２】
上記筺体が、生分解性プラスティックよりなることを特徴とする請求項１に記載の装飾用蓄水タイル。
【請求項３】
上記筺体が、上層に配置された筺体の開口部から溢れ出た水を下層に配置された筺体の開口部に導くための水路を備えていることを特徴とする請求項１または２に記載の装飾用蓄水タイル。
【請求項４】
上記中綿に覆い被さるようにして上記筺体内に配置された落とし箱と、
上記中綿が水分の吸収によって膨張した際に、上記落とし箱が必要以上に上昇することを規制するため筺体内に配置された返し部材と、
上記筺体内に必要以上に水分が蓄積されることを防止するため筺体の側面に形成された排水口とを備え、
上記落とし箱には植物の球根、種子、または苗を配置するための貫通孔が形成されていることを特徴とする請求項１〜３の何れかに記載の装飾用蓄水タイル。
【発明の詳細な説明】
【０００１】
【発明の属する技術分野】
この発明は装飾用蓄水タイルに係り、特に、降雨や日照といった自然力によって筺体内に水を蓄積させたり筺体内の水を蒸発させることができ、この水の蓄積・蒸発に伴う中綿の膨張・収縮を利用して、透明体で構成された筺体の表示面に反映される色彩を変化させるよう構成した装飾用蓄水タイルに関する。
【０００２】
【従来の技術】
これまでビルや、マンションなどの建物の壁面に宣伝広告用あるいは鑑賞用の絵や模様、文字を描くには、大看板に描写して壁面に掲げるか、直接壁面に描写するという方法が採られていた。
【０００３】
【発明が解決しようとする課題】
しかしながら、従来の描写方法では表示内容が固定されているため、そのまま放置すれば同一の模様や宣伝文句が長期間継続することとなり、看者に対する訴求力が低下するという問題が生じる。また、時間の経過と共に、降水や日光の照射によって塗料が剥離し、見栄えが損なわれる事態も生じる。
このため、大看板の掛け替えや絵画等の書き換え、あるいは補修作業を定期的に行うことが不可欠であり、そのために多大な労力や時間、コストを要していた。
また、大看板については台風等による突風で落下する危険性が常にあり、歩行者を直撃して負傷させるという事故も実際に起きていた。
【０００４】
さらに、都市部においては、エアコンからの廃熱、あるいはコンクリートやアスファルトの反射・蓄熱効果により、夏期にはいわゆる「ヒートアイランド現象」が生じ、これが異常気象の一因として指摘されている。また、外気温の上昇に比例してビル内の温室効果が高まり、エアコンの出力も上昇するという悪循環が生じ、省エネの要請にも反する結果となる。
このため、ビルの屋上や周辺敷地内に植物を植えることが奨励され、条令等で義務付けられてもいるが、これによって確保される緑化面積はビルの表面積に比べて余りにも狭いため、ビルの温室効果を十分緩和するには至っていない。
壁面に如何に涼しげな風景を描写してみたところで、ビルの現実的な冷却効果が生じるものでないことは言うまでもない。
【０００５】
この発明は、上記従来の問題点を解決するために案出されたものであり、ビル等の建造物の壁面に容易に絵画や模様、文字、色彩を描写できると共に、降雨や日照といった自然力を利用して表示内容を変更可能であり、しかもビル内の温室効果を低減することができる技術を提供することを目的としている。
【０００６】
【課題を解決するための手段】
上記の目的を達成するために、請求項１に記載の装飾用蓄水タイルは、水分を取り込むための開口部、装飾対象面との接合面、装着時に外部に露出する表示面を少なくとも備えた筺体と、該筺体内に収納された吸水性樹脂よりなる中綿と、
上記開口部を覆う通水性を有する蓋部材とを備え、上記筺体が無色透明、有色透明、または半透明の素材よりなり、上記開口部から筐体内に進入した水分を吸収して上記中綿が膨張すると、この中綿の色彩の影響を受けて上記表示面に現れる色彩が変化し、筐体内の水分が蒸発して中綿が収縮すると、表示面に現れる色彩が元に戻ることを特徴としている。
上記筺体の形状について特に限定はなく、直方体形状、六角柱形状、円柱形状等、必要に応じて適宜選択可能である。
【０００７】
この蓄水タイルは、ビルの壁面や窓ガラス面などの装飾対象面に対して、筺体の接合面を接着剤等を介して貼り付けることで装着される。
この際、それぞれ異なる色彩を備えた多数の蓄水タイルを用意し、上記装飾対象面に選択的に配置させることにより、点描画の要領で絵画やイラスト、写真、模様、文字等を自由に表現することが可能となる。
また、雨が降って開口部から筺体内に水分が取り込まれると、中綿がこれを吸収して膨張する。筺体自体は透明あるいは半透明の素材によって構成されているため、膨張した中綿の色彩（中綿本来の色彩、あるいは顔料によって染められた色彩）が表示面に反映されることとなり、自然に表示色が変化する。雨が上がって日照が戻れば、今度は筺体内部の水分が徐々に蒸発し、それに連れて中綿も収縮していくため、自然に元の表示色に復帰する。
したがって、予め各蓄水タイルの表示色の変化パターンを計算に入れて装飾対象面に配置させておけば、天候を利用して表現内容を自動的に変更することが可能となる。
【０００８】
請求項２に記載の装飾用蓄水タイルは、請求項１に記載した装飾用蓄水タイルの筺体が、生分解性プラスティックよりなることを特徴としている。
【０００９】
請求項３に記載の装飾用蓄水タイルは、請求項１または２に記載した装飾用蓄水タイルの筺体が、上層に配置された筺体の開口部から溢れ出た水を下層に配置された筺体の開口部に導くための水路を備えていることを特徴としている。
この結果、各蓄水タイル内に迅速かつ効率的に雨水を行き渡らせることが可能となる。
【００１０】
請求項４に記載の装飾用蓄水タイルは、請求項１〜３に記載した装飾用蓄水タイルであって、上記中綿に覆い被さるようにして上記筺体内に配置された落とし箱と、上記中綿が水分の吸収によって膨張した際に、上記落とし箱が必要以上に上昇することを規制するため筺体内に配置された返し部材と、上記筺体内に必要以上に水分が蓄積されることを防止するため筺体の側面に形成された排水口とを備え、上記落とし箱には植物の球根、種子、または苗を配置するための貫通孔が形成されていることを特徴としている。
【００１１】
しかして、雨水を吸収して中綿が膨張し、落とし箱に中綿が接すると、貫通孔内に配置された球根等に水分が供給され、植物の生育が開始される。
中綿の膨張に連れて落とし箱が上昇しても、返し部材によって上限が規制されているため、植物の生育に必要な空間は確保される。
また、中綿でもって吸収しきれない水分は、上記排水口から外部に排出されるため、植物が水没して腐敗することを未然に防止できる。
このように、上記蓄水タイル内で植物を水耕栽培することにより、装飾のバリエーションを増やすこともできる。
【００１２】
【発明の実施の形態】
図１は、この発明に係る第１の装飾用蓄水タイル10の外観を示す斜視図であり、図２はその内部構造を示す断面図である。
この第１の装飾用蓄水タイル10は、ほぼ直方体形状の筺体12を備えており、筺体12内には中綿14と水溶性の顔料16とが配置されている。
筺体12の上面12ａには開口部18が形成されており、この開口部18には網状蓋部材20が裏側（筺体12の内部側）から装着されている。
また、上記筺体の上面12ａから側面12ｂ，12ｃにかけては、水路としての溝部30が形成されている。
上記筺体12は、透明材あるいは半透明材によって構成されているが、色彩には特に限定はなく、有色透明や有色半透明の他、無色透明であってもよい。
【００１３】
この筺体12の構成素材としては、環境への負荷を最小限のものにするため、土中や水中の微生物によって水と二酸化炭素に分解される生分解性プラスティックが最適である。
現在、この生分解性プラスティックとして様々なものを選択し得るが、ここではポリ−Ｌ乳酸を用いている。この生分解性プラスティックはサトウキビを原料に作られるが、生ゴミに水を加えて細かく砕いた後に乳酸菌を添加して発酵させることによって生成することもでき、この場合には菌がゴミを分解して作り出す乳酸菌がプラスティックとして有効利用されるものである。
また、上記網状蓋部材20も生分解性プラスティックによって構成されることが望ましい。
【００１４】
上記中綿14は、有機性の吸水性樹脂によって構成されている。
この吸水性樹脂は、例えばポリグルタミン酸高分子よりなり、蒸留水に対しては自重の約5,000倍もの保水性を備えている。このポリグルタミン酸高分子は、納豆の糸の主成分であるγ−ポリグルタミン酸にγ線を照射するか、エポキシ樹脂を用いて反応させることによって得られる。
【００１５】
この蓄水タイル10は、適当な接着剤（粘着剤を含む）を用いてビルの外壁面等に多数配置される。
具体的には、図３に示すように、個々の筺体12の背面（接合面）12ｄに予め接着剤32を塗布しておき、この接着剤32を外壁面34に密着させることで固定される。
【００１６】
ここで、個々の筺体12の表面（表示面）12ｅに表現される色彩を異ならせることにより、点描画の要領で外壁面全体として絵画や図形、模様、文字等を表現することが可能となる。
この筺体表面12ｅの色彩は、第一義的には筺体12自身の色彩によって決定される。例えば、筺体12が赤色透明な生分解性プラスティックによって構成されている場合には、表示面12ｅは赤色として視認されることとなる。
これに対し、筺体12が無色透明である場合には、接着剤32の色彩が表示面12ｅに現れる。
また、この接着剤32が無色透明である場合には、外壁面34の色彩が表示面12ｅに反映される。
【００１７】
以上は晴天時あるいは曇天時における筺体表面12ｅの表示色であり、雨天時には他の色彩が現れる。
すなわち、雨水が開口部18から筺体12の内部に進入すると、図４に示すように、内部の中綿14が水分を吸収して膨張し、筺体12内に満ちることとなるが、この際に顔料16が水に溶けて中綿14を所定の色彩に染め上げることとなる。
この結果、表示面12ｅに現れる色彩はこの中綿14の色彩に影響を受け、変色する。
例えば、筺体12が無色透明であれば、中綿14の色彩が直接表示色を構成することとなる。これに対し、筺体12が白色系の半透明材よりなり、中綿が黒色の場合には、両者の混色である灰色が表面12ｅに現れることとなる。また、筺体12が赤色系の透明材よりなり、中綿14が緑色に染まる場合には、両者の混色である黄色が表面12ｅに現れることとなる。
雨が上がって晴天が戻ると、今度は中綿14が保持していた水分が蒸発して開口部18から外部に排出され、その体積が徐々に収縮するため、自然に元の色彩に復帰する。
【００１８】
このように、この装飾用蓄水タイル10を用いることにより、晴天時と雨天時とで個々の筺体12の表示色を自然に変化させることが可能となる。
また、図３に示すように、筺体12の表面12ｅ上に水溶性の塗料36を塗布しておけば、さらに表示色のバリエーションを増やすことができる。
すなわち、蓄水タイル10の装着直後は水溶性塗料36の色彩が表示色となり、雨が降って塗料36が溶け落ちると、今度は筺体12の地色や接着剤32、外壁面34の色彩等が表示色となり、中綿14が水分を吸って膨張すると中綿14と筺体12との混色が表示色となる。
水溶性塗料36による色彩は、塗料36が一旦落ちた後は再塗装しない限り再現困難であるが、一過性のキャンペーンなどには有効に利用できる。
【００１９】
図５は、上記した筺体表面12ｅの色彩が変化するパターンをまとめたものであり、当初は(ａ)のように水溶性塗料36の色彩が表示されていたものが、雨が降って塗料36が溶け落ちると同時に(ｂ)のように筺体12の地色が表示され、つぎに中綿14が水分を吸って膨張すると(ｃ)のように顔料16の色彩が反映され、雨が上がって水分が蒸発し、中綿14が収縮すると(ｄ)のように筺体12の地色に戻る様子が描かれている。
【００２０】
上記蓄水タイル10を外壁面34に多数装着する際には、直方体状の筺体12が縦横隙間なく整列配置するのではなく、図６に示すように、上段に配列された筺体12と下段に配列された筺体12とが半分ずれると共に、相互間に一定の隙間38が形成されるよう配置することが望ましい。
この結果、上段に位置する筺体12の開口部18から溢れ出た水が溝部30や隙間38を伝って流通し、下段に位置する筺体12の開口部18に注ぎ込まれることとなる。この結果、「ワイングラスタワー」と同様の原理により、最下段の筺体12まで水が有効に行き渡る。もちろん、各筺体12には雨が正面方向からも叩き付けられることが多く、この場合には上段からの流水を待つまでもなく、隙間38を介して各筺体12内に雨水が充填されることとなる。
なお、上段に配置される筺体12と下段に配置される筺体12とを縦に整列配置すると、一個の蓄水タイル10の落下によって下段に配置された蓄水タイル10が連鎖的に崩落する危険性がある。これに対し、上記のように上段と下段で半身ずつずれるように配置することで、このような蓄水タイル10の連鎖的崩落を防止することが可能となる。
【００２１】
各蓄水タイル10の筺体12の寸法について特に限定はないが、ビルの壁面34から剥離・落下した場合の衝撃力を小さくするためにも、また点描画の細密度を向上させるためにも、比較的小さく形成することが望ましい。
上記の網状蓋部材20は、水分を開口部18から筺体12内に導くと共に、膨張した中綿14が開口部18から飛び出ることを防止する機能を果たすものであり、同様の機能を発揮できる他の部材（例えばパンチ孔の形成されたプレート状蓋部材）で代用することも可能である。
【００２２】
図７〜図９は蓄水タイル10の実施例を示しており、蓄水タイル10を多数用いてビルの外壁面34に巨大な二本の木α、βを描画した状態を示している。
図７にあっては、木の葉や地表を表す蓄水タイル10の表面には淡い色彩（黄緑等）の水性塗料36が塗布されており、全体として柔らかな印象の細密画が表示されている。
これに対し、図８にあっては、降雨によって表面の水性塗料36が剥げ落ちた状態を示しており、木の葉や地表を表す蓄水タイル10の表面には、筺体12の地色である濃い色彩（深緑等）が表示されている。
図９は、筺体12内部への雨水の充填が進行した結果、木の葉を構成する蓄水タイル10の一部が周囲と異なる色彩に変化し、「日立（登録商標）」の文字が現れた状態を示している。
【００２３】
なお、木の幹や枝を構成している蓄水タイル10は、晴天・雨天を通じて表示色が変化していないが、これは例えば筺体12を白色系の半透明体で構成すると共に、中綿14が膨張した際の色彩も白色系となるように予め設定しておけば可能である。
同様に、木の葉を構成している蓄水タイル10の大部分も、晴天・雨天を通じて表示色が変化していないが、この場合には筺体12を深緑系の半透明体で構成すると共に、中綿14が膨張した際の色彩も深緑系となるように予め設定しておけばよい。
【００２４】
図７〜図９は、図示の便宜上極めて単純な絵画を蓄水タイル10で描いた例を挙げたが、実在人物の似顔絵や商品のイラスト等、より複雑な絵画を描くことも可能である。
この場合には、コンピュータ解析によって蓄水タイル10の表示色と配置個所との対応関係を算出し、各蓄水タイル10の表示色に対応したカラーコードと配置個所が記述された組立図を作成しておく。また、各蓄水タイル10の側面には、当該蓄水タイル10の配置個所を示す情報（当該絵画における座標や連続番号）と、カラーコードを記載しておく。
この結果、絵心の全くない作業者であっても、上記組立図にしたがって蓄水タイル10を壁面34の必要個所に当てはめていくだけで、精巧な点描画を完成させることが可能となる。
また、点描画中から蓄水タイル10が部分的に剥離・落下した場合でも、補充すべき箇所や蓄水タイル10の種類が簡単に特定でき、迅速な補修が実現できる。
この点描画を構成する各蓄水タイル10の表示色を、雨天時と晴天時で全く異なるように設定しておけば、２種類の異なった絵画（例えば２つの異なる商品の宣伝ポスター）を天候によって交互に表示するといったことも可能となる。
【００２５】
図１０及び図１１は、この発明に係る第２の装飾用蓄水タイル40の外観を示す斜視図である。この第２の装飾用蓄水タイル40は、ほぼ六角柱形状の筺体42を備えており、筺体42内には中綿14と顔料（図示省略）とが配置されている。
筺体42の第１の上部傾斜面42ａ及び第２の上部傾斜面42ｂには、それぞれ開口部44ａ、44ｂが形成されており、この開口部44ａ、44ｂにはそれぞれ網状蓋部材46ａ、46ｂが装着される（図１０）。
また、筺体42の第１の下部傾斜面42ｃ及び第２の下部傾斜面42ｄは、閉塞されている（図１１）。
この筺体42は、第１の蓄水タイル10の筺体12と同様、透明あるいは半透明の生分解性プラスティックより形成される。また、網状蓋部材46ａ、46ｂも、生分解性プラスティックより形成される。
【００２６】
図１２は、この第２の蓄水タイル40を外壁面34に多数装着する際の配置例を示しており、一段おきに筺体42の開口部44ａ、44ｂが上下異なる方向に向くように配置されている。
すなわち、ある段の蓄水タイル40は全て開口部44ａ、44ｂが下方に向いているのに対し、その下段の蓄水タイル40は全て開口部44ａ、44ｂが上方を向いている。
そして、下側に向いた開口部44ａ、44ｂと、上側に向いた開口部44ａ、44ｂとが一定の隙間48をおいて対向するように、上段と下段の蓄水タイル40が位置決めされている。
また、各蓄水タイル40の側面42ｅ、42ｆ間にも一定の隙間48が形成されており、これが水路を形成している。
なお、図示は省略したが、各蓄水タイル40は、筺体42の背面42ｇを接着剤を介して外壁面34に接合させることにより、配置固定される。
【００２７】
この状態において雨が降ると、開口部44ａ、44ｂが上方を向いた段の蓄水タイル40内に雨水が蓄積され、中綿14の膨張による色彩の変化が表示面42ｈに現れる。これに対し、開口部44ａ、44ｂが下方を向いた段の蓄水タイル40には、この時点では雨水が充填されることなく、表示面42ｈに色彩の変化は生じない。
つぎに、雨が上がって筺体42が日光に照らされると、蓄水タイル40内に充填された雨水が蒸発し、上方の開口部44ａ、44ｂから外部に排出される。
この水蒸気は、上段に配置された蓄水タイル40の下方に向いた開口部44ａ、44ｂから筺体42内に取り込まれ、中綿14の膨張による色彩の変化が表示面42ｈに生じる。
このように、一段毎に開口部44ａ、44ｂの向きが上下するように配置することにより、中綿14膨張による表示色の変化に時間差を設けることが可能となり、より複雑な色彩の変化を実現することができる。また、ビルの外壁面34における水分の滞留時間を引き延ばすことも可能となる。
【００２８】
開口部44ａ、44ｂが上方を向いた蓄水タイル40にあっては、晴天時に内部の水分を素早く蒸発させて上段の蓄水タイルを変色させるため、中綿膨張時の表示色を熱吸収効率の高い暗色系に設定しておくことが望ましい。
反対に、開口部44ａ、44ｂが下方を向いた蓄水タイル40にあっては、内部の水分をなるべく長く保持できるよう、中綿膨張時の表示色を熱吸収効率の低い明色系に設定しておくことが望ましい。
もちろん、この第２の蓄水タイル40にあっても、第１の蓄水タイル10と同様、各筺体42の開口部44ａ、44ｂが全て上方を向くように配置することも可能である。
【００２９】
図１３は、この発明に係る第３の装飾用蓄水タイル50の内部構造を示す断面図である。この第３の装飾用蓄水タイル50は、第１の蓄水タイル10と同様、ほぼ直方体形状の筺体52を備えている。
筺体52の上面52ａには開口部54が形成されており、この開口部54には網状蓋部材56が裏側（筺体52の内部側）から装着されている。
上記筺体52の上面52ａから側面52ｂ、52ｃにかけては、水路としての溝部58が形成されている。
【００３０】
筺体52内には、中綿14の他に、中綿14に覆い被さるように配置された落とし箱60が収納されている。この落とし箱60の上面には貫通孔62が形成されており、予め水耕栽培に適した植物64の球根がセットされている。
筺体52の内壁面52ｄには、落とし箱60のストッパとして機能する返し板66が突設されている。
また、筺体52の側面52ｃには、内部の余剰水分を外部に排出する排水孔68が穿設されている。
【００３１】
この第３の蓄水タイル50も、上記した第１の蓄水タイル10と同様、ビルの外壁面34等に接着剤を介して集合配置される。この際、第３の蓄水タイル50だけで外壁面34を飾ることも可能であるが、第１の蓄水タイル10と混合配置させることもできる。
【００３２】
しかして、ビルの外壁面34に第３の蓄水タイル50を設置した状態で雨が降ると、開口部54から筺体52の内部に進入した雨水を中綿14が吸収し、膨張する。
この結果、落とし箱60の貫通孔62内にセットされた球根に中綿14が接触し、水分が供給される。
水分を得た球根はやがて発芽し、中綿14内に予め封じられていた栄養素を吸収して生育する。
筺体52は無色透明材より形成されているため、植物の生育に必要な日光が筺体52内に供給されると共に、この生育過程を外部から鑑賞することができる。
【００３３】
中綿14の膨張によって落とし箱60が上昇しても、返し板66によって上限が決められているため、植物64の生育に必要な空間が筺体52内に十分確保される。
また、筺体52内の水位が一定以上になると排水孔68から外部に排出されるため、植物64が水没して腐敗することを防止できる。
内部の植物64が枯れたり腐敗した場合には、当該蓄水タイル50のみを部分的に交換すれば済む。
【００３４】
【発明の効果】
この発明に係る装飾用蓄水タイルによれば、降雨や日照といった自然力によって筺体内に水を蓄積させたり筺体内の水を蒸発させ、これに伴う中綿の膨張・収縮を利用して筺体の表示面に反映される色彩を変化させることができる。
このため、異なった色彩の変化パターンを備えた多数の蓄水タイルを壁面上に選択的に配置することで一定の絵画や模様、文字などを表現できると共に、天候の変化に委ねて容易に描き変えが可能となり、従来のように看板や壁画の再作成という大規模でコストや労力のかかる作業を必要としない利点が生じる。
また、暴風雨などによって蓄水タイルが剥離・落下する可能性は否定できないが、従来の広告看板のように全体が落下するのではなく、個々の蓄水タイルが部分的に落下するにとどまるため、筺体を軽量のプラスティックで形成しておけば、歩行者を負傷させる危険性を最小限に抑えることができる。
【００３５】
水分を保持した蓄水タイルをビル等の壁面に張り付けることにより、火災時における隣接した建物間の延焼度を緩和することも可能となる。
また、このような蓄水タイルは太陽エネルギーを効率的に吸収するため、特に都市部における日光の強い照射や放射を和らげることにもなり、壁面全域ではなく部分的に装着しただけでも十分な省エネ的効果が期待できる。
さらに、筺体内部の水分が蒸発する際には、気化潜熱による冷却効果も期待できる。
【００３６】
上記蓄水タイルの内部で植物を水耕栽培することにより、壁面を天然の緑で装飾すると共に、水資源の有効利用を図ることができ、都市部における緑地面積の拡大を実現できる。
【図面の簡単な説明】
【図１】  この発明に係る第１の装飾用蓄水タイルの外観を示す斜視図である。
【図２】  第１の装飾用蓄水タイルの内部構造を示す断面図である。
【図３】  第１の蓄水タイルの背面を外壁面に接合させた状態を示す断面図である。
【図４】  第１の蓄水タイルの中綿が雨天時に膨張する様子を示す断面図である。
【図５】  第１の蓄水タイルの筺体表面の色彩が変化するパターンを示す模式図である。
【図６】  第１の蓄水タイルの配列例を示す平面図である。
【図７】  第１の蓄水タイルを多数用いてビルの外壁面に巨大な二本の木を描画した状態を示す平面図である。
【図８】  図７の描画内容に変化が生じた状態を示す平面図である。
【図９】  図８の描画内容に変化が生じた状態を示す平面図である。
【図１０】  この発明に係る第２の装飾用蓄水タイルの外観を示す斜視図である。
【図１１】  この発明に係る第２の装飾用蓄水タイルの外観を示す斜視図である。
【図１２】  第２の蓄水タイルの配列例を示す斜視図である。
【図１３】  この発明に係る第３の装飾用蓄水タイルの内部構造を示す断面図である。
【符号の説明】
10  第１の装飾用蓄水タイル
12  直方体形状の筺体
14  中綿
16  水溶性の顔料
18  開口部
20  網状蓋部材
30  溝部
12ｄ  筺体の背面（接合面）
32  接着剤
34  外壁面
36  水溶性の塗料
38  隙間
40  第２の装飾用蓄水タイル
42  六角柱形状の筺体
44ａ、44ｂ  開口部
46ａ、46ｂ  網状蓋部材
48  隙間
50  第３の装飾用蓄水タイル
52  筺体
54  開口部
56  網状蓋部材
58  溝部
60  落とし箱
62  貫通孔
64  植物
66  返し板
68  排水孔
【図１】
0003822082.tif 000002
【図２】
0003822082.tif 000003
【図３】
0003822082.tif 000004
【図４】
0003822082.tif 000005
【図５】
0003822082.tif 000006
【図６】
0003822082.tif 000007
【図７】
0003822082.tif 000008
【図８】
0003822082.tif 000009
【図９】
0003822082.tif 000010
【図１０】
0003822082.tif 000011
【図１１】
0003822082.tif 000012
【図１２】
0003822082.tif 000013
【図１３】
0003822082.tif 000014